(57)【特許請求の範囲】
【請求項１】
中心に有底の凹部を設けた第一ボルト軸からなる第一ボルトと、前記第一ボルト軸に設けた前記凹部に下半身が摺動自在に挿入される第二ボルト軸と、該第二ボルト軸の先端部に設けた第二セレーションとからなる第二ボルトと、前記第二ボルトの第二セレーションとは反対側の第二ボルト軸後端に設けたロック部と、からなり、前記第一ボルトの頭部上には、一方方向の回転時には係止部となり、逆方向の回転時には係止部とならない第一係止部が形成され、前記第二セレーションの前記第一ボルトの頭部と対峙する面には、前記第一ボルトに設けた第一係止部に係止して該第一ボルトを一方方向にのみ回動する第二係止部が形成され、前記第一ボルトに設けた凹部の開口端部は、前記第二ボルト軸を挿通し、かつ、該凹部に収納される前記ロック部を係止する狭部に構成されているボルト。
【請求項２】
中心に有底の凹部を設けた第一ボルト軸と、該ボルト軸の一端に設けた第一セレーションとからなる第一ボルトと、前記第一ボルト軸に穿設の凹部に下半身が摺動自在に挿入される第二ボルト軸と、該第二ボルト軸の一端に設けた第二セレーションとからなる第二ボルトと、前記第二ボルトの第二セレーションとは反対側の第二ボルト軸端に設けたロック部と、からなり、前記第一セレーションの頭部上には、一方方向の回転時には係止部となり、逆方向の回転時には係止部とならない第一係止部を有し、前記第二セレーションの前記第一セレーションと対峙する面には、前記第一セレーションに設けた第一係止部に係止して該第一セレーションを一方方向にのみ回動する第二係止部を有し、前記第一ボルトに設けた凹部の開口端部は、前記第二ボルト軸を挿通し、かつ、該凹部に収納される前記ロック部を係止する狭部に構成されているボルト。
【請求項３】
前記第一ボルト軸と前記第一セレーションとは一体に形成されている請求項２に記載のボルト。
【請求項４】
前記第一ボルト軸と前記第一セレーションとは別体に形成され、前記第一ボルト軸の先端部に前記第一セレーションが固定されている請求項２に記載のボルト。
【請求項５】
前記第二ボルト軸と前記第ニセレーションとは一体に形成されている請求項１又は２に記載のボルト。
【請求項６】
前記第二ボルト軸と前記第ニセレーションとは別体に形成され、前記第二ボルト軸の先端部に前記第二セレーションが固定されている請求項１又は２に記載のボルト。
【請求項７】
前記第二セレーションの前記第一セレーションと対峙する面に、前記第一セレーションに設けた第一係止部に係止して前記第一ボルトを一方方向のみに回動する第二係止部を有するワッシャが固定されている請求項１又は２に記載のボルト。
【請求項８】
前記第一ボルトの頭部には、第三の工具と係合し、第一ボルトを回動可能とする凹部、又は凸部が形成されている請求項１又は２に記載のボルト。
【請求項９】
前記第一ボルトの頭部が円弧状であり、該円弧状の表面に、前記第一係止部が設けられている請求項１に記載のボルト。
【請求項１０】
前記第一セレーションの頭部が円弧状であり、該円弧状の表面に、前記第一係止部が設けられている請求項２に記載のボルト。
【請求項１１】
前記第一ボルトの凹部開口端の狭部と前記ロック部との間にバネ部材が挿入されている請求項１又は２に記載のボルト。
【発明の詳細な説明】
【技術分野】
【０００１】
本発明は被締結物に螺着するボルトに関するものであり、特に被締結物に一旦螺着した後は、被締結物から取り外すことが困難なボルトに関するものである。
【背景技術】
【０００２】
車両にナンバープレートを取り付けるボルト、U字溝に溝蓋を取り付けるボルト等々、２つ以上の被締結物を接続した後に、被締結物から取り外すことが困難なボルトが種々提案されている。
例えば特許文献１にはボルトとナットからなり、ナットと被締結物との間にワッシャを挿入し、ワッシャとナットの接合面をナットが被締結物を締め付けるときにはワッシャを回転する係止部となり、ナットを逆方向の回転時には係止部とならない楔形斜面を有し、ワッシャに設けた尖った嵌め筋を被締結物に食い込ませてナットの緩みを防止する構造のボルトナットが開示されている。しかしながらかかる構造ではワッシャの加工費が嵩み、また、被締結物が硬いものである場合は対応できない等の不具合がある。
【０００３】
また、特許文献２にはボルトと該ボルトを締付ける締付け材とを別部品とし、両者をネジ部材で取り付け、ナットを被締結物に取り付けた後はナットを取り外して盗難を防止する装置が開示されている。しかしながらかかる構成ではナットの締付け作業とナットの取り外し作業とが発生し、作業工程が多くなり、ナットを取り外すことを忘れると盗難防止の役割がなくなる等の欠点を有している。
【０００４】
また、特許文献３には、ネジ軸の頭部に傘状のフランジ部が設けられ、該フランジ部の上端に径を細くした破断用縊れ部を介して回動操作部を設け、一定以上のトルクが縊れ部にかかると該縊れ部から折れてそれ以上の力が被締結物にかからなくすると共に、傘部には工具がかからないので緩めることができない構成が開示されている。しかし、かかる構成では万が一ボルトを緩めなければいけない事態になったときでもボルトを緩めることができない等の不具合が発生する。
【０００５】
【特許文献１】実用新案登録第３０９２７５３号公報
【特許文献２】特開平１０−３７９３９号公報
【特許文献３】特開２００３−３４３５３７号公報
【発明の開示】
【発明が解決しようとする課題】
【０００６】
本発明は特殊な工具を用いることなく締め付けることができ、締め付けた後でも必要により緩めることができるボルトに関するものである。
【課題を解決するための手段】
【０００７】
本発明の第一のボルトは、中心に貫通孔を有するボルト軸からなる第一ボルトと、前記第一ボルト軸に穿設の貫通孔に摺動自在に挿入され、前記第一ボルトの長さよりも長い第二ボルト軸と該第二ボルト軸の一端に設けた第二セレーションとからなる第二ボルトと、前記第二ボルトの第二セレーションとは反対側の第二ボルト軸端に設けたロック部とからなり、前記第一ボルトの頭部には、一方方向の回転時には係止部となり、逆方向の回転時には係止部とならない第一係止部を有し、前記第二セレーションの前記第一ボルトの頭部と対峙する面には、前記第一ボルトに設けた第一係止部に係止して該第一ボルトを一方方向にのみ回動する第二係止部を有し、前記第一ボルトに設けた凹部の開口端部は、前記第二ボルト軸を挿通し、かつ、該凹部に収納される前記ロック部を係止する狭部に構成されていることを特徴とするものである。
【０００８】
本発明の第二のボルトは、中心に凹部を有する第一ボルト軸と該ボルト軸の一端に設けた第一セレーションとからなる第一ボルトと、前記第一ボルト軸に穿設の凹部に下半身が摺動自在に挿入される第二ボルト軸と、該第二ボルト軸の一端に設けた第二セレーションとからなる第二ボルトと、前記第二ボルトの第二セレーションとは反対側の第二ボルト軸端に設けたロック部とからなり、前記第一セレーションの頭部には一方方向の回転時には係止部となり、逆方向の回転時には係止部とならない第一係止部を有し、前記第二セレーションの前記第一セレーションと対峙する面には前記第一セレーションに設けた第一係止部に係止して該第一セレーションを一方方向にのみ回動する第二係止部を有し、前記第一ボルトに設けた凹部の開口端部は、前記第二ボルト軸を挿通し、かつ、該凹部に収納される前記ロック部を係止する狭部に構成されていることを特徴とするものである。
【０００９】
前記ボルトにおいて、前記第一ボルト軸と前記第一セレーションとは一体に形成されていることが好ましい。
前記ボルトにおいて、前記第一ボルト軸と前記第一セレーションとは別体に形成され、前記第一ボルト軸の先端部に前記第一セレーションが固定されていることが好ましい。
【００１０】
前記ボルトにおいて、前記第二ボルト軸と前記第二セレーションとは一体に形成されていることが好ましい。
前記ボルトにおいて、前記第二ボルト軸と前記第二セレーションとは別体に形成され、前記第ニボルト軸の先端部に前記第二セレーションが固定されていることが好ましい。
【００１１】
前記ボルトにおいて、前記第二セレーションの前記第一セレーションと対峙する面に、前記第一セレーションに設けた第一係止部に係止して前記第一ボルトを回動する第二係止部を有するワッシャが固定されている構成とすることが好ましい。
前記ボルトにおいて、前記第一ボルトの頭部には、第三の工具と係合し、第一ボルトを回動可能とする凹部、又は凸部が形成されている構成とすることが好ましい。
【００１２】
前記第一のボルトにおいて、前記第一ボルトの頭部が円弧状であり、該円弧状の表面に、前記係止部が設けられている構成とすることが好ましい。
前記第二のボルトにおいて、前記第一セレーションの頭部が円弧状であり、該円弧状の表面に、前記係止部が設けられている構成とすることが好ましい。
前記第一ボルトの尻部と前記ロック部との間にバネ部材が挿入されていることが好ましい。
【発明の効果】
【００１３】
本発明のボルトは、一度締め付けてしまうと、緩めたり、取り外すことができず、必要により取り外すときは、前記第二ボルトを破損して取り外すことになるため、ボルトを締め付けた後に取り外したことが一目瞭然に判断できる効果がある。
【発明を実施するための最良の形態】
【００１４】
本発明の実施形態を図面を参照して詳細に説明する。
図１は本発明の第一実施形態であるボルト１０を示すもので、該ボルト１０は、第一ボルト３と、第二ボルト５と、ロック部７とで構成されている。
第一ボルト３は中心に凹部１１を有する第一ボルト軸１３からなり、該第一ボルト軸１３の表面には螺旋溝１５が刻設されている。前記凹部１１の開口部分には後述する第二ボルト軸２３の軸径より大きく、後述するロック部７の直径より小さい貫通孔（狭部）１７を有する栓１９が固定されている。即ち、凹部１１の開口部は栓１９で狭部１７が構成されている。
第二ボルト５は前記第一ボルト軸１３に設けた凹部１１に下半身が摺動自在に挿入される第二ボルト軸２３と、該第二ボルト軸２３の先端部に設けた第二セレーション２５とからなっている。
前記第二ボルト５の第二セレーション２５とは反対側の第二ボルト軸２３後端にロック部７が形成されている。
【００１５】
第一ボルト軸１３の頭部には一方方向の回転時には係止部となり、逆方向の回転時には係止部とならない第一係止部１２が形成されている。図１に示す第一係止部１２は、第一ボルト軸１３の中心から半径方向に放射状に設けられた複数の切り立った当接面１４（係合する係止部）と、該切り立った当接面１４を頂点として斜め錐面の楔形斜面状に低くなる傾斜面１８とからなり、後述する第二ボルト５に形成の第二係止部２２と噛み合って第一ボルト３を被締結物に締め付ける一方方向にのみ回転し、逆方向（締結を緩める方向）の回転力に対しては空回りするように構成されている。
【００１６】
第二ボルト５は、前記第一ボルト軸１３に穿設の凹部１１に摺動自在に挿入される第二ボルト軸２３と、該第二ボルト軸２３の一端に設けた第二セレーション２５とで構成されている。第二ボルト軸２３と第二セレーション２５とは一体に形成しても良く、別体に形成して接合（固定）してもよい。
【００１７】
第二セレーション２５の前記第一ボルト頭部に設けた第一係止部１２と対峙する面には、前記第一ボルトに設けた第一係止部１２に係止して該第一ボルト３を一方方向（ボルトを締め付ける方向）にのみ回動する第二係止部２２が形成されている。第二係止部２２は図示するように第一係止部１２の当接面１４に当接し、第一係止部１２の当接面１４に一方方向の回転力を加える当接部２４と、該当接部２４を頂点として斜め錐面の楔形斜面状に低くなる傾斜面２８とからなり、前記第一係止部１２と噛み合って第一ボルト３を一方方向に回動し、逆方向には空回りする構成となっている。
前記係止部１２、２２として切り立った面（当接部）１４、２４を形成したが、係止部１２、２２としては切り立った面の代わりに、三角形状に垂直に切り込んだ切込み面と突出面として構成することもできる。
また、当接面の数はボルトの大きさにもよるが２〜８個程度が適している。
【００１８】
ロック部７は第二ボルト５の尻部に取り付けられ、第二ボルト５が第一ボルト３から抜けるのを防止するためのもので、したがって該ロック部７は第一ボルト３の凹部１１の開口部を狭める狭部１７の孔径より大きく、凹部１１の孔径より小さい構成となっている。ロック部７は第二ボルト５が第一ボルト３から抜けるのを防ぐ役割を果せば足りるので、その形状は円形、多角形状、棒状等の形状で形成でき、第二ボルト５への取り付けはねじ込み、溶接、接着剤による接着等で取り付けることができる。
【００１９】
第一ボルト３と第二ボルト５との組立ては、先ず第二ボルト軸２３に栓１９を通し、第二ボルト軸２３の尻部にロック部７を固着し、第一ボルト３の凹部１１にロック部７を挿入する。次いで、第一ボルト軸１３に栓１９を固着する。あるいは、凹部１１の開口部端に栓１９を固着する。栓１９を第一ボルト軸１３に、または凹部１１の開口部端に固着する方法は溶接、接着剤等任意であるが、第一ボルト３と第二ボルト５とが容易に分離できないように固着する。
図１ではロック部７と栓１９との間にバネ部材（スプリング）９が挿着されている。バネ部材９は第一ボルト３の頭部に第二ボルト５の第二セレーション２５を常に接触させる役割を果たしている。即ち、第一ボルト３と第二ボルト５とが一体になっているように構成する。なお、このバネ部材９は必要としないときには挿着を省略することができる。
図中２６は第三の工具により第二ボルト５を回動するために、第二ボルト５に設けた回動部で、図示する回動部２６は、例えばレンジを挿入し第二ボルト５を回動するレンジ装着穴である。なお、第二ボルト５を回動する回動部２６としては、その他に六角ボルト、なべ小ネジ、丸小ネジ、等の形状でも良い。
【００２０】
第一実施形態のボルト１０で２枚の被締結物Ａ、Ｂを結合するには、図２（ａ）に示すように被締結物Ａ、Ｂ双方に第一ボルト３の螺旋溝１５に螺合する螺旋溝Ｃを切り、該螺旋溝Ｃに第一ボルト３をねじ込む。ねじ込むにあたっては第二ボルト５の頭部に設けた例えば６角溝の回動部２６（図１参照）に図示しない６角レンジを挿入して回すことで、第二セレーション２５に設けた係止部２２が第一ボルト３に設けた係止部１２に噛み合って第一ボルト３を回転させ、被締結物Ａ、Ｂの螺旋溝Ｃに第一ボルト３をねじ込み、被締結物Ａ、Ｂを締結する。
【００２１】
図２に示すようにボルト１０で被締結物Ａ、Ｂを一旦螺着した後、この結合を取り外そうとして第二ボルト５を取り外し方向（締め付けと逆方向）に回転しても、第一係止部１２と第二係止部２２とは空回りして第二セレーション２５の回転力が第一ボルト３に加わらず、第一ボルト３が外れる方向に回動することはなく、したがって、一旦締め付けると、このままでは取り外すことができない。
【００２２】
また、第二ボルト軸２３の長さは図１（ｃ）、図２（ｂ）に示すように第一ボルト軸１３と第二ボルト軸２３とを引き離したときに、即ち、ロック部７が栓１９に突き当たったときに、第一ボルト３の頭から第二ボルト軸２３が少なくとも長さｈだけ露出するように設計する。長さｈは任意に設計できるが、図示するように第一係止部１２と第二係止部２２との噛み合わせが外れる長さｈ以上とすることが好ましい。
【００２３】
被締結物Ａ、Ｂの結合を解除するには図２（ｂ）に示すように第二ボルト５を上方へ引き上げる。第二ボルト５を上方へ引き上げることで第一ボルト３と第二セレーション２５との間に長さｈの間隙ができる。この間隙を利用して第二ボルト軸２３を切断する。第二ボルト軸２３を切断することにより第一ボルト３の頭部が出現し、該頭部に設けた図示しない第三の工具（ドライバー、レンチ等）と係合し、第一ボルトを回動可能とする窪み２７〔図１（ｃ）参照〕、又は凸部（図示せず）に第三の工具を装着して第一ボルト３を取り外す方向（取り付ける方向とは逆方向）に回転し、第一ボルト３を被締結物から取り除く。前記窪み２７としては多角形のレンチと合う多角形の穴、マイナスあるいはプラスドライバーを挿入しうるマイナスまたはプラスの溝、複数の窪み等である。図示しない凸部としては該凸部に引っ掛けて第一ボルト３を回動しうる棒状あるいは多角形柱等である。なお、被締結物を盗難から守る場合には、第一ボルト３の頭部には何も設けず、第三工具によるボルトの回転を阻止するようにする。また、不正行為等により第二ボルト５が破損された場合、外部から見て第二ボルト５がないことが判明するので、盗難防止の監視にもなる。また、第一ボルト３の頭が被締結物Aの表面にまでねじ込んでおけば、第三の工具が第一ボルト３に絡まなくなり、第一ボルト３を緩めることができなくなる効果もある。
なお、本発明は上記実施形態に限定されず、発明の主旨を変えない範囲での変更が種々可能である。
【００２４】
図３は本発明の第二の実施形態であるボルト３０を示すものである。なお、第一実施形態と同一部分は同一符号を付して詳細な説明は省略する。
第二実施形態のボルト３０は、第一ボルト３３と、第二ボルト５と、ロック部７とで構成されている。
第一ボルト３３は、中心に凹部１１を有する第一ボルト軸３１と、該ボルト軸３１の一端に設けた第一セレーション３５とからなる。
第二ボルト５は、前記第一ボルト軸３１に穿設の凹部１１に摺動自在に挿入される第二ボルト軸２３と、該第二ボルト軸２３の一端に設けた第二セレーション２５とからなる。
前記第一セレーション３５の頭部上には、一方方向の回転時には係止部となり、逆方向の回転時には係止部とならない第一係止部１２が形成されている。
前記第二セレーション２５の前記第一セレーション３５と対峙する面には、前記第一セレーション３５に設けた第一係止部１２に係止して該第一セレーション３５を一方方向にのみ回動する第二係止部２２が設けられている。
【００２５】
図４は第一セレーション３５の頭部に設ける第一係止部１２の一実施形態を示す。図４に示す第一係止部１２は６個の当接面１４を有している。第一係止部１２は第一ボルト軸３３の中心から半径方向に放射状に設けられた複数の切り立った当接面１４（係合する係止部）と、該切り立った当接面１４を頂点として斜め錐面の楔形斜面状に低くなる傾斜面１８とからなり、第二ボルト５に形成の第二係止部２２と噛み合って第一ボルト３３を被締結物に締め付ける一方方向にのみ回転し、逆方向（締結を緩める方向）の回転力に対しては空回りするように構成されている。
前記係止部１２、２２としては切り立った面（当接部）１４、２４を形成したが、係止部１２、２２としては切り立った面の代わりに、三角形状に垂直に切り込んだ切込み面と突出面との組み合わせで構成することもできる。また、図４では当接面の数を６個の実施形態を示したが、当接面の数はボルトの大きさを勘案して、２〜８個程度とすることが好ましい。
【００２６】
ロック部７は、前記第二ボルト５の第二セレーション２５とは反対側の第二ボルト軸端に設けられ、第一ボルト３３に設けた凹部１１に挿入でき、凹部１１の開口端部を狭くする狭部１７に係止される大きさに設計されている。
前記第一ボルト３３に設けた凹部１１の開口端部は、前記第二ボルト軸２３を挿通し、かつ、該凹部１１に収納される前記ロック部７を係止する狭部１７に構成されている。なお、図３に示す狭部１７は第一セレーション３５の中心に、第二ボルト軸２３を挿通し、ロック部７を通さない大きさの貫通孔（狭部）１７を穿設した構成を示しているが、第一実施形態と同様に第一セレーション３５には凹部１１の口径と同じあるいはそれ以上の貫通孔を穿設し、該貫通孔を、前記栓１９で塞ぐ構成とするようにしても良いことは勿論である。
【００２７】
前記したように、第二ボルト５は前記第一ボルト３３に穿設の凹部１１に摺動自在に挿入される第二ボルト軸２３と、該第二ボルト軸２３の一端に設けた第二セレーション２５とで構成されているが、第二ボルト軸２３と第二セレーション２５とは一体に成形してもよく、別体に成形して接合（固定）してもよい。
【００２８】
第一ボルト３３と第二ボルト５との組立ては、先ず第二ボルト軸２３に第一セレーション３５（必要により栓１９）を通し、第二ボルト軸２３の尻部にロック部７を固着し、第一ボルト３３の凹部１１にロック部７を挿入する。次いで、（必要により凹部１１の開口部に栓１９を固着する。）第一セレーション３５を第一ボルト軸３１に固着する。固着する方法は溶接、接着剤等任意であるが、第一ボルト３３と第二ボルト５とが容易に分離できないように固着する。
図３ではロック部７と第一セレーション３５との間にバネ部材（スプリング）９が挿着されている。バネ部材９は第一ボルト３３の頭部に第二ボルト５の第二セレーション２５を常に接触させる役割を果たしている。即ち、第一ボルト３３と第二ボルト５とが一体になっているように構成する。なお、このバネ部材９は必要としないときには挿着を省略することができる。
【００２９】
上述したように本第二実施形態のボルト３０は、該第二のボルト３０における第一ボルト３３が第一実施形態におけるボルト１０の第一ボルト３と相違する。
第一ボルト３３を構成する第一セレーション３５は第一ボルト軸３１と一体に例えば鍛造で形成することができる。この場合には栓１９で第一ボルト３３と第二ボルト５とを連結する。一方、所定箇所に螺旋溝１５が刻接された第一ボルト軸３１の頭部に、別工程で成形した第一セレーション３５を溶接、接着剤による接着、焼き嵌め等の方法で固着する形成方法もある。第一ボルト軸３１と第一セレーション３５とを別体とするのは、第一ボルト軸３１として市販の長尺ねじ棒を調達して所定の長さに切断し、凹部１１を穿接し、一方、第一セレーション３５はプレス加工で容易に製作できるため、両者を接合（固定）することで安価に製造、提供できるためである。
【００３０】
本実施形態のボルト３０で２枚の被締結物Ａ、Ｂを結合するには、図３（ｄ）に示すように、少なくとも下側となる被締結物Ｂに第一ボルト３３の螺旋溝１５に螺合する螺旋溝Ｃを切り、該螺旋溝Ｃに第一ボルト３３をねじ込む。ねじ込むにあたっては第二ボルト５の頭部に設けた例えば６角溝２６に図示しない６角レンジを挿入して回すことで、第二セレーション２５に設けた第二係止部２２が第一ボルト３３に設けた第一係止部１２に噛み合って第一ボルト３３を回転させ、被締結物（Ａ、）Ｂの螺旋溝Ｃに第一ボルト３３をねじ込み、第一セレーション３５の下部が被締結物Ａの面に当接させることで被締結物Ａ、Ｂを締結する。
【００３１】
第二実施形態における盗難防止対策等は第一実施形態と同様であるので、その詳細な説明は省略する。なお、本第二実施形態のボルト３０を特に盗難防止用として使用する場合は、第一セレーション３５の肉厚は極力薄くし、その外形は円形、または円錐形状、あるいは傘状、とし、スパナ等と係合して第一ボルト３３が回動されるのを極力防止する構造とすることが好ましい。
【００３２】
図５は本発明の第三の実施形態を示すもので、該第三の実施形態は、上述した第二の実施形態における第二セレーション２５の構成が相違するのみで、その他は第一、第二の実施形態と同様であるので、第二の実施形態と同じ部分には同じ符号を付して詳細な説明は省略する。
図５に示すように、第二セレーション２５はフランジ部４１と第二係止部２２を形成したワッシャ４３とからなっている。フランジ部４１は第二ボルト軸２３と一体に、あるいは別工程で製作して第二ボルト軸２３に固着して設け、ワッシャ４３はプレス成形等で成形してフランジ部４１の下面、即ち第一セレーション３５と第二係止部２２が対峙するように接着剤あるいは溶接等で固着する。
本第三実施形態において第二セレーション２５をフランジ部４１とワッシャ４３とに分離するのは、第二ボルト軸２３にフランジ部４１を有する部分は例えば市販のボルトをそのまま採用でき、このボルトのフランジ部４１にプレス成形等で作成したワッシャ４３を固着することで、安価に提供できるためである。上記は市販のボルトを使用する、としたが、ボルト軸に螺子が刻設されている必要性はなく、Ｔ字状のものであれば良いことは勿論である。
【００３３】
本発明における第一ボルト軸、第二ボルト軸は鉄、ステンレス等の金属で、あるいは硬質のプラスチック材で形成する。また、ボルト軸と別工程で成形する第一セレーション、第二セレーション、ワッシャはボルト軸と同じ金属、または硬質のプラスチックで作成することができる。
【００３４】
図６は第四の実施形態を示すもので、該第四の実施形態は第一ボルト軸３１に設けた第一セレーション３５の頭部が半円形の凸状に構成され、この部分に第一係止部１２が形成されている。第一係止部１２の形成は半円形の周縁部を直線状に削ることで簡単に加工ができる。また、第二ボルト５の第二セレーション２５に設ける第二係止部２２は第一ボルト軸３１の頭部形状に合致させた半円形の凹部とし、第一係止部１２が前記第二係止部２２に噛み合うように構成されている。このように第一ボルト頭部を半円形の凸状とすることで、第一ボルトを取り外す時の工具の引っ掛けが困難となり、より盗難防止用としての効果が向上する。なお、図６は第二の実施形態のボルト３０の変形例として説明したが、第一実施形態のボルト１０にそのまま適用できることは勿論である。
【００３５】
図７は本発明ボルトの第五の実施形態を示すもので第二のボルト３０を例として本発明ボルトの使用状態を示すもので、第一ボルト軸３１の尻部にナット４７を螺着した状態を示している。例えば被締結物Ａ、Ｂを本発明ボルトで接続後、ナット４７が回動できない状態で組付けるような場合には、被締結物Ａ、Ｂに螺子溝を刻設することなくナット４７を使用することも可能である。
【００３６】
本発明の実施形態においては、上述したようにバネ部材（例えば螺旋バネ）９を第二ボルト５の、ロック部７と第一ボルト軸１３（３１）に設けた凹部１１の口径を狭める狭部１７との間に挿入している、このようにバネ部材９を挿入することで、第一ボルト３(３３)と第二ボルト５との係止部間における隙間が常にバネ部材９の反発力により閉じられ、被締結物を結合した状態で第二ボルト５の遊動が抑えられて動かなくなり、例えば振動の生じる場所での使用において騒音を発することなく使用することができる。なお、バネ部材９の採用は任意である。
【図面の簡単な説明】
【００３７】
【図１】本発明の第一の実施形態を示すもので、（ａ）は上面図、（ｂ）は正面図、（ｃ）はａ−ａ線断面図である。
【図２】ボルトを彼結合物に取り付けた状態を示す一部欠裁正面図で、（ａ）は第一ボルトと第二ボルトとが閉じた状態を、（ｂ）は開いた状態を示す。
【図３】本発明の第二の実施形態を示すもので、（ａ）は上面図、（ｂ）は正面図、（ｃ）はａ−ａ線断面図、（ｄ）は使用状態を示す説明図である。
【図４】本発明の第二の実施形態における第一ボルトを示すもので、（ａ）は上面図、（ｂ）は正面図、（ｃ）はｂ−ｂ線断面図である。
【図５】本発明の第三の実施形態を示すもので、（ａ）は上面図、（ｂ）は正面図、（ｃ）は底面図、（ｄ）はｃ−ｃ線断面図である。
【図６】本発明の第四実施形態を示す正面図である。
【図７】本発明の第五実施形態を示す正面図である。
【符号の説明】
【００３８】
３            第一ボルト
５            第二ボルト
７            ロック部
９            バネ部材
１０            ボルト
１１            凹部
１２            第一係止部
１３            第一ボルト軸
１４            当接面
１５            螺旋溝
１７            狭部
１８            傾斜面
１９            栓
２２            第二係止部
２３            第二ボルト軸
２４            当接部
２５            第二セレーション
２６            回動部
２８            傾斜面
３０            ボルト
３１            第一ボルト軸
３３            第一ボルト
３５            第一セレーション
４１            フランジ部
４３            ワッシャ
４７            ナット
Ａ            被締結物
Ｂ            被締結物
Ｃ            螺旋溝
【図１】
0004855440.tif 000002
【図２】
0004855440.tif 000003
【図３】
0004855440.tif 000004
【図４】
0004855440.tif 000005
【図５】
0004855440.tif 000006
【図６】
0004855440.tif 000007
【図７】
0004855440.tif 000008